(57)【要約】      （修正有）【課題】燃芯保持具をランプ本体の首部に装着したまま液体燃料を注入することができると共に、燃芯保持具をランプ本体の首部に装着したままで液体燃料を注入した場合にも液体燃料の螺合部からの漏出を防止し、液体燃料ランプの外部を汚すことなく液体燃料の補給を行うことができる燃芯保持具を提供する。【解決手段】下方向に貫通した貫通孔を有する下座４と、周壁及び天壁に囲まれた内部空間を有する口金５とからなる燃芯保持具２であって、口金本体の外周から内部空間１９に貫通して注入口２４が形成されると共に、口金の内部空間の下端開口に、下方に延出する下向き筒体２５が嵌設され、前記下向き筒体は、燃芯保持具が前記首部の上端開口部に装着された状態において、ランプ本体３の肩口よりも下方まで突出することを特徴とする液体燃料ランプ１に装着して使用される燃芯保持具。【選択図】図３
0003155826.tif 000002
【実用新案登録請求の範囲】
【請求項１】
内部に液体燃料を貯留する胴部から、上方に伸びる筒状に首部が形成されてなるランプ本体の、前記首部の上端開口に装着し、燃芯を保持する燃芯保持具であって、
ランプ本体の首部に被せて装着する下座と、この下座の上に取付ける口金とからなり、
下座は、上下方向に貫通する貫通孔を中央に有する盤体の下面に前記首部の外周面に嵌挿される袴部が形成されると共に、盤体の上部外周に雄ねじ部を形成してなり、
口金は、下方に開放した内部空間を有する口金本体の周壁下端部内周に前記雄ねじ部と螺合する雌ねじ部が形成されると共に、口金本体の天壁の中央に燃芯挿通穴が形成され、しかも天壁から上方に、燃芯挿通穴に連通する通孔を有する筒状の燃芯保持部が延出して形成され、
この口金本体の周壁に、口金本体の外部空間から内部空間に貫通して注入口が形成されると共に、
口金の内部空間の下端開口に、下方に延出する下向き筒体が嵌設され、
前記下向き筒体は、燃芯保持具が前記首部の上端開口部に装着された状態において、ランプ本体の肩口よりも下方まで突出する
ことを特徴とする燃芯保持具。
【考案の詳細な説明】
【技術分野】
【０００１】
本考案は、液体燃料ランプの燃芯を保持するために用いられる燃芯保持具に関する。
【背景技術】
【０００２】
燃芯に染み込ませた液体燃料に着火して利用する液体燃料ランプの形態として、アルコールランプ等のように、燃芯の保持機能を備えた燃芯保持具が液体燃料を貯留するランプ本体の開口部上に設置されているものがある。このような形態の液体燃料ランプの燃料を補給する際には、燃芯保持具を持ち上げてランプ本体の開口に補給用液体燃料ボトル等のノズルを挿し込んで補給する。
【先行技術文献】
【特許文献】
【０００３】
【特許文献１】実開昭６３−１６７０１３
【考案の概要】
【考案が解決しようとする課題】
【０００４】
しかし、レストラン等において業務用に液体燃料ランプが使用される場合には一度に使用されるランプの数が多いため、燃料の補給の度に保持具を持ち上げて燃料を注入する動作は煩雑な上に、万一倒れた場合に一気に液体燃料がこぼれ出す恐れがあり、さらに保持具を持ち上げるために手が汚れるという問題があった。
【課題を解決するための手段】
【０００５】
そこで、上記課題を解決するため、本考案に係る燃芯保持具は、内部に液体燃料を貯留する胴部から、上方に伸びる筒状に首部が形成されてなるランプ本体の、前記首部の上端開口に装着し、燃芯を保持する燃芯保持具であって、ランプ本体の首部に被せて装着する下座と、この下座の上に取付ける口金とからなり、下座は、上下方向に貫通する貫通孔を中央に有する盤体の下面に前記首部の外周面に嵌挿される袴部が形成されると共に、盤体の上部外周に雄ねじ部を形成してなり、口金は、下方に開放した内部空間を有する口金本体の周壁下端部内周に前記雄ねじ部と螺合する雌ねじ部が形成されると共に、口金本体の天壁の中央に燃芯挿通穴が形成され、しかも天壁から上方に、燃芯挿通穴に連通する通孔を有する筒状の燃芯保持部が延出して形成され、この口金本体の周壁に、口金本体の外部空間から内部空間に貫通して注入口が形成されると共に、口金の内部空間の下端開口に、下方に延出する下向き筒体が嵌設され、前記下向き筒体は、燃芯保持具が前記首部の上端開口部に装着された状態において、ランプ本体の肩口よりも下方まで突出することを特徴とする。
【０００６】
本考案に係る燃芯保持具を構成する下座は、盤体の下面に形成された袴部をランプ本体の首部の外周面に嵌挿することにより、首部に被せて装着される。下座は、首部に装着される際に、盤体の下面及び袴部内面と、首部の外面とが接着されていることが好ましい。下座を首部に嵌挿して装着することにより液体燃料ランプが不意に倒れても燃料保持具がランプ本体から脱落し難く、中の液体燃料が一気にこぼれ出ることを防止することができる。
【０００７】
口金本体の天壁の中央に形成された燃芯挿通穴と連通して天壁から上方に形成された燃芯保持部は、燃芯を燃芯保持部内部に挿入し、燃芯保持部内面と燃芯との摩擦力により燃芯を保持できるものであり、燃芯保持部上端から少し上方に引き出した燃芯の先端部分に着火することができる。
【０００８】
燃芯保持部内部に挿入された燃芯は、燃芯保持部の下端から燃芯保持具の内部空間を挿通され、ランプ本体の底面まで垂下される。
【０００９】
なお、口金本体の天壁の上面には、燃芯保持部の外周縁の下端に近づくにつれて深くなる窪み部が形成されてもよい、さらに、当該窪み部には口金本体の内部空間まで貫通する小孔が形成されていることが好ましい。窪み部及び小孔を形成すると、液体燃料ランプの使用中に燃芯の先端から垂れ落ちてくる液体燃料を受けることによって、液体燃料が口金の外方へこぼれ落ちることを効果的に防止することができ、さらに窪み部に溜まった液体燃料を当該小孔からランプ本体内部へ効率的に還元することができる。
【００１０】
口金本体の外周に形成された注入口は、液体燃料を注入するために形成されたものであり、補給用液体燃料ボトルのノズルを当該注入口に挿し込んで液体燃料を注入することにより、燃芯保持具をランプ本体の首部に装着したまま液体燃料の補給を行うことができる。
【００１１】
また、口金本体の、内部空間に連通する下端開口には、下方に延出する下向き筒体が嵌設されている。当該下向き筒体は、下座の盤体の中央に形成された貫通孔の内径よりも小さい外径を有して形成されており、口金を下座に螺合すると、下向き筒体が下座の貫通孔を貫通して下座の下方に突き抜けて配置される。
【００１２】
また、下向き筒体は、燃芯保持具がランプ本体の首部の上端開口に装着された状態において、ランプ本体の肩口よりも下方まで突出するように配置される。下方への突出長さは肩口を少し超える程度とする。
【００１３】
なお、ランプ本体の肩口は、首部と胴部との境界部をいい、前記境界部は首部下端部が胴部と接続するためにランプ本体の外方向へ屈曲され始める部分である。
【００１４】
下向き筒体をこのように配置することにより、補給された液体燃料が滴下される下向き筒体の内部が、口金と下座の螺合部から排出される空気の流れに直接連通するのを阻止することができ、注入口から注入された液体燃料が、燃芯を伝って下向き筒体内部を滴下される際に、ランプ本体内部からランプ本体外部へ排出される空気の流れに乗って口金と下座との螺合部から漏出することを防止し、ひいては液体燃料ランプの外表面が漏出した液体燃料によって汚れることを防止することができる。
【考案の効果】
【００１５】
本考案によれば燃芯保持具をランプ本体の首部に装着したまま液体燃料を注入することができると共に、燃芯保持具をランプ本体の首部に装着したままで液体燃料を注入した場合にも液体燃料の螺合部からの漏出を防止し、液体燃料ランプの外部を汚すことなく液体燃料の補給を行うことができる。
【図面の簡単な説明】
【００１６】
【図１】液体燃料ランプ１に液体燃料２７を注入する様子を示す図。
【図２】下座４及び口金５の断面構造を示す図。
【図３】燃芯保持具４０をランプ本体３に設置した状態の縦断面図。
【図４】下向き筒体２５がない場合に経路Ｆから漏出する液体燃料２７の様子を示す図。
【考案を実施するための形態】
【００１７】
以下、図面に従って本考案の実施の形態について詳しく説明する。
【００１８】
図１は、本考案に係る燃芯保持具２を装着した液体燃料ランプ１に液体燃料２７を注入する様子を示した図である。ランプ本体３は胴部６及び首部７とから構成され、胴部６と首部７との境界部は肩口８である。燃芯保持具２は、下座４及び口金５が上下に螺合されて構成される。
【００１９】
図２に示すように、下座４は、上下方向に貫通する貫通孔１４を有する盤体１０と、盤体１０の下面に袴部１１を備え、盤体１０の上部外周には雄ねじ部１２が形成されている。図３に示すように下座４は、袴部１１がランプ本体３の首部７の外周に被さり、首部７の上端開口部９の外周面９ａに接着されて装着されている。
【００２０】
口金５は、図２に示すように周壁１７及び天壁１８で囲まれ、下方に開放された内部空間１９を有する口金本体１５と、天壁１８の中央に形成された燃芯挿通孔２０と連通するように天壁１８から上方に延出して筒状に形成された燃芯保持部２１とを備え、前記周壁１７下端部には前記下座４の雄ねじ部１２と螺合可能な雌ねじ部１６が形成されている。
【００２１】
また、口金本体１５の外周上部には液体燃料２７を注入するための注入口２４が内部空間１９に貫通して形成されている。注入口２４は口金本体１５の外周上部から斜め下方に向かって貫通しており、補給用液体燃料ボトル２８のノズル２９を注入口２４に注入し易いように構成されている。
【００２２】
さらに、天壁１８の上面には、燃芯の先端から垂れ落ちてくる液体燃料を受けてランプ本体３内へ還元するため、天壁１８の周縁部から燃芯保持部２１の外周縁の下端に近づくにつれて深くなるように形成された窪み部２２が形成され、窪み部２２の底部には、燃芯保持部２１に近接した場所に、内部空間１９まで貫通する小孔２３が形成されていることが好ましい。
【００２３】
本実施例において、小孔２３は、注入口２４からみて燃芯保持部２１の手前方向に形成されている。これは、小孔２３を注入口２４のできるだけ直上方向に近い位置に形成することによって、注入口２４から注入された液体燃料２７の一部が、液体燃料２７の注入によって排出される空気の流れに乗って小孔２３から漏出することを防止することを目的としている。
【００２４】
燃芯保持具２は、図３に示すように下座４と口金５とが雄ねじ部１２及び雌ねじ部１６を介して上下方向に螺合され、さらに、下座４がランプ本体３の上端開口部９に装着されて使用される。なお、雄ねじ部１２及び雌ねじ部１６が螺合することにより螺合部１３を構成する。
【００２５】
内部空間１９の下端開口部には図２に示すように下向き筒体２５が嵌設されて固定されている。下向き筒体２５は、下座４に形成されている貫通孔１４の内径よりもわずかに小さい外径を有するものであり、下座４と口金５が螺合した図３の状態において、下向き筒体２５は下座４の貫通孔１４を貫通して下座４のやや下方に突き抜けて配置される。
【００２６】
さらに、下座４がランプ本体３の上端開口部９に装着されている図３の状態において、下向き筒体２５は肩口８よりも下方に突出するように配置されている。
【００２７】
燃芯保持部２１の内部には燃芯２６が挿入されて保持されている。燃芯２６の上端は、燃芯保持部２１の上端から少し上方に引き出された状態で保持され、燃芯２６の燃芯保持具２内を挿通されてランプ本体３の底面まで垂下している。
【００２８】
次に、本考案に係る液体燃料ランプ１に液体燃料２７を注入する方法について説明する。
【００２９】
図１に示すように、注入口２４に補給用液体燃料ボトル２８のノズル２９を挿し込み、補給用液体燃料ボトル２８内の液体燃料２７を燃芯２６に伝わらせてランプ本体３内へ補給する。
【００３０】
この時、液体燃料ランプ１内に充満していた空気が、注入された液体燃料２７によって、液体燃料ランプ１の外部へ排出されるのであるが、空気の排出経路の一つに、図３に示される下座４と口金５との螺合部１３から排出される経路Ｆが存在する。経路Ｆにおける空気の通り抜ける空間が狭いため、燃芯保持具２の内部における螺合部１３の周辺の空気の流れが速くなるところ、下向き筒体２５が備わっていない場合、図４に示すように、下方に流下する液体燃料２７の内の一部が、経路Ｆを通る空気の流れによって燃芯２６から分離し、空気の流れと共に経路Ｆから螺合部１３を介して液体燃料２７が漏出することとなる。
【００３１】
本考案においては、図３に示すように下向き筒体２５が口金５の内部空間１９の下端開口部から下方に延出して設置され、肩口８よりも下方に突出しているため、下向き筒体２５と首部７との間隙を通った空気が経路Ｆから排出されることとなる。このような構成にしたことにより、燃芯２６を伝わり落ちる液体燃料２７と、空気の流れる経路Ｆとは隔離され、従って、液体燃料２７が下座４と口金５との螺合部１３から漏出するのを防ぎ、ランプ本体３内に貯留させることができる。
【００３２】
以上、本考案によれば燃芯保持具２を装着したまま液体燃料２７を注入することができ、さらに液体燃料２７の漏出を防止することで液体燃料ランプ１の外部を汚さずに液体燃料２７の補給を行うことができる。
【符号の説明】
【００３３】
１    液体燃料ランプ
２    燃芯保持具
３    ランプ本体
４    下座
５    口金
１３  螺合部
１９  内部空間
２４  注入口
２５  下向き筒体
２６  燃芯
２７  液体燃料
【図１】
0003155826.tif 000003
【図２】
0003155826.tif 000004
【図３】
0003155826.tif 000005
【図４】
0003155826.tif 000006